(57)【特許請求の範囲】
【請求項１】
布或いは紙などの上に下書き模様を描画、或いはプリントするステップと、下書き模様に従って、上下糸によるステッチで太糸の化粧糸を下地糸としてまず一段目を縫い付けるステップと、上記一段目の化粧糸に連続して、一段目の化粧糸の上に、バルキーな太糸などの化粧糸の太さに対応させて化粧糸の幅より小なる振幅のジグザグステッチを化粧糸の幅内に形成して、上下糸により化粧糸を縫い付けるステップと、縫い付け後、起毛具を使用して、前記２段目の化粧糸を一部鍬上げると共に、化粧糸の撚りを除いて梳毛状とするステップとによる布地に化粧糸を縫い付ける方法。
【請求項２】
下書き模様を描画された布或いは紙と、下書き模様に従って、前記布或いは紙上にジグザグ振幅の上下糸により縫い付けられた化粧糸による下地糸と、該下地糸の上に化粧糸の太さに対応させて化粧糸の幅より小なる振幅で化粧糸の幅内に形成されるジグザグステッチの上下糸により縫い付けられたバルキーな太糸の化粧糸を重ねて配置し、起毛具により上段の前記化粧糸の一部が鍬上げられると共に、化粧糸の撚りを除いて梳毛状として前記固定された残りの化粧糸上を覆ったことを特徴とする化粧糸を縫い付けた布。
【発明の詳細な説明】
【０００１】
【産業上の利用分野】
本発明は布地に化粧糸を縫い付ける方法と形成される布に関する。
【０００２】
【従来の技術】
従来化粧糸を布地に糸により固定し、その毛糸を起毛具を使用して一部鍬あげて起毛してボリュウム感のある布地を形成するものが知られている。
【０００３】
【発明が解決しようとする課題】
しかしながら、これらは一般に毛糸を固定するのに毛糸の中心に針を落とす必要があり、手刺繍でのみ成しうるものの極めて熟練を要するものであった。また単に固定した毛糸の一部を起毛するものでは、固定した毛糸が梳毛化することにより、下の布地が透けてボリューム感が充分でないという問題があった。
【０００４】
【課題を解決するための手段】
本発明は、布或いは紙などの上に下書き模様を描画、或いはプリントするステップと、下書き模様に従って、上下糸によるステッチで太糸の化粧糸を下地糸としてまず一段目を縫い付けるステップと、上記一段目の化粧糸に連続して、一段目の化粧糸の上に、バルキーな太糸などの化粧糸の太さに対応させて化粧糸の幅より小なる振幅のジグザグステッチを化粧糸の幅内に形成して、上下糸により化粧糸を縫い付けるステップと、縫い付け後、起毛具を使用して、前記２段目の化粧糸を一部鍬上げると共に、化粧糸の撚りを除いて梳毛状とするステップとによる布地に化粧糸を縫い付けることにより課題を解決することができた。
さらに本発明は、下書き模様を描画された布或いは紙と、下書き模様に従って、前記布或いは紙上にジグザグ振幅の上下糸により縫い付けられた化粧糸による下地糸と、該下地糸の上に化粧糸の太さに対応させて化粧糸の幅より小なる振幅で化粧糸の幅内に形成されるジグザグステッチの上下糸により縫い付けられたバルキーな太糸の化粧糸を重ねて配置し、起毛具により上段の前記化粧糸の一部が鍬上げられると共に、化粧糸の撚りを除いて梳毛状として前記固定された残りの化粧糸上を覆ったことにより課題を解決することができた。
【０００５】
【作用】
まず、ジグザグミシンの針の振幅の中心部に化粧糸を案内する、化粧糸案内をミシンの押さえ棒に固着して、案内位置を固定化することにより、前記化粧糸の幅より小なる振幅を設定することと、布地に描いた下絵に前記化粧糸案内が位置するように、前記布を案内操縦することにより、極めて簡単に下絵にそって下地化粧糸をジグザグ縫目によって固定し、その下地糸に連続して或いは、別の化粧糸として下地糸の上にジグザグ縫い目により化粧糸を縫い付ける。次に所望の箇所の化粧糸の一部を、起毛具を用いて前記ジグザグ縫目から開放すると共に、化粧糸の撚りを除いて梳毛状とすることにより、化粧糸部分を覆ってボリュウム感ある布を形成する。
【０００６】
【実施例】
以下、本発明の実施例を図面を通常の針の振幅と送りの前後動とにより模様縫目を形成可能なミシンを例として図面を参照して詳細に説明する。
【０００７】
図１はミシンの機構説明図であり、上下動する針１と該針と協働する釜２とを備えた公知のミシンであって、釜２内には下糸がボビンに巻かれた状態で配置されている。３は押さえ棒であって、上下動可能に支承されており、先端には布押さえ４が固着されている。押さえ棒３は押さえばね５により、常には下方に付勢されている。
【０００８】
６は送り歯であって、布押さえ４に対向して配置されて、送り台７に固着されており、該送り台の上下動及び前後動により、布押さえ４と協働して布送りを行なうものである。８は大小２つの偏心部を軸方向に備える偏心カムの上下送りカムであって、常には大きい偏心部が送り台７の下方に当接して配置され、上軸９の回転に動期して回転し、送り台７を上下動させるようになっている。
【０００９】
１０は模様選択手段であって、ミシン機枠の全面に固着されたパネル上に配置され、操作により、所望の模様を選択するようになっている。１１は化粧糸止め縫い模様の選択手段であって、選択により、ミシンの針の振幅が小幅なジグザグ縫い模様とし、前記上下送りカム８を軸方向に移動して、偏心量が少ない部分に前記送り台７が当接して、送り台に固着の送り歯が針板から没する、いわゆる送り歯ダウンの状態に設定する。なお、送り歯ダウンの設定は、別途メッセージ表示により表示し、作業者が公知の送り歯下降手段（図示せず）を操作するものであってもよい。
【００１０】
化粧糸を縫い付ける場合の準備について説明する。図２に示す如く、針を針棒に止めている針止め１２を専用針止め１２ａと交換する。次に布押さえ４を取り外し、図３に示す、化粧糸縫い付け押さえ１３を図４に示す如く、押さえ棒３に固着する。このとき、係合ピン１３ａは前記専用針止め１２ａの上方に配置されるようにする。
【００１１】
次に図２に示す如く、化粧糸ガイド１４をラッパ部１４ａが上方にくるようにして、専用針止め１２ａのねじ部１２ｂに装着する。そして、図５に示す如く、上糸１５を所定の上糸糸道に糸通しする。上糸は各種の化粧糸に対応するためには、ナイロン糸等の透明な糸を使用することが望ましい。
【００１２】
次に化粧糸１６を化粧糸縫い付け押さえに糸通しする。即ち、ミシン機枠より上方に一旦案内してから、化粧糸ガイド１４のラッパ部１４ａに設けたスリット１４ｂから案内し、化粧糸縫い付け押さえ１３の下方の穴１３ｂに、スリット１３ｃを使って化粧糸を通すことで、準備作業が完了する。
【００１３】
次に化粧糸を布上に止めて、ボリューム感のある装飾模様を形成する場合について図７のフローチャートを参照して説明する。
第１のステップとして、加工布にプリント、転写等により所望の模様を図８の如く描画する。第２のステップとして、両手で布を保持して、布に描画された模様に従って縫い目が形成されるように案内して一段目の化粧糸を縫い付ける。この時、図案の内側を塗りつぶすように、螺旋状に布送りして、螺旋状に縫い目を形成することが効果的である。
【００１４】
図案の輪郭は化粧糸を変えて、輪郭にそって案内して縫い付ける。次に第３のステップとして二段目として連続して化粧糸上に更に起毛用の化粧糸を縫い付ける。針の振幅は図９に示す如く化粧糸の幅に対応するため振幅の小さなジグザグ模様が設定されるが、使用する化粧糸に対応して任意にその振幅を調節設定することが有効である。縫い付けた状態を断面図である、図１０に示す。
【００１５】
描画した図案上にすべての化粧糸を縫い付け後、第３のステップとして、化粧糸縫い付け押さえを上昇させて、加工布を取り出して、図６に示す起毛具１７を用いて、縫い付けられた化粧糸を鋤上げて、図１１の如く化粧糸の一部分を梳毛状とし、図案上にボリューム感のある化粧糸で覆って配置する。
起毛具１７は図６に示す如く、把持可能な本体１７ａに多少柔軟性のある細い金属製の針１７ｂが固着されたものであって、縫い目形成方向にそって化粧糸に押しつけて動かすことで、起毛される。
【００１６】
【発明の効果】
本発明は以上のような構成及び作用のものであり、化粧糸を描画した図案上に案内するだけで簡単に化粧糸を縫い付けることができ、さらに縫い付けた化粧糸の所望の箇所を起毛により覆うことでボリューム感のある化粧糸の配置を行うことができる。さらに、起毛具の使用を続けて２段目が全て梳毛状となっても、これに連続している１段目が固定されているので、毛糸が抜けてくるという問題はなく外部装飾としても使用できる。また、起毛して２段目の毛糸がすべて梳毛となってしまっても、１段目の毛糸があるので、ボリューム感のある化粧糸による機申した布を得ることができる。
【００１７】
【図面の簡単な説明】
【図１】    本発明のミシンの機構説明図
【図２】    本発明の専用針止めと化粧糸ガイドの説明図
【図３】    本発明の化粧糸縫い付け押さえの説明図
【図４】    本発明の化粧糸縫い付け押さえの取り付け説明図
【図５】    本発明の化粧糸の糸通し説明図
【図６】    本発明の起毛具の説明図
【図７】    本発明の化粧糸縫い付け方法のフローチャート説明図
【図８】    本発明の図案を布に描画した状態の説明図
【図９】    本発明の化粧糸を上下糸で縫い付けた状態の縫い目説明図
【図１０】  本発明の化粧糸を上下糸で縫い付けた状態の縫い目断面図
【図１１】  本発明の化粧糸を起毛具で起毛した状態の断面説明図
【符号の説明】
１２ａ．専用針止め
１３．  化粧糸縫い付け押さえ
１４．  化粧糸ガイド
１６．  化粧糸
１７．  起毛具
【図１】
0003740173.tif 000002
【図２】
0003740173.tif 000003
【図３】
0003740173.tif 000004
【図４】
0003740173.tif 000005
【図５】
0003740173.tif 000006
【図７】
0003740173.tif 000007
【図８】
0003740173.tif 000008
【図９】
0003740173.tif 000009
【図１０】
0003740173.tif 000010
【図１１】
0003740173.tif 000011
【図６】
0003740173.tif 000012